(57)【要約】【課題】外力に対する耐震パネルの耐性を向上させる。【解決手段】木製長方形状の耐震パネル７の各端縁に沿って木製の枠部材（柱６、土台４、梁８、及び軒桁１１）が配置されている。耐震パネル７は、長方形の構造用合板１６と、構造用合板１６の表面に、構造用合板１６の縦方向に沿って接合された間柱１７と、構造用合板１６における間柱１７が設けられた表面とは別の表面に、構造用合板１６の横方向に沿って接合された反り止め１８とを備えている。【選択図】図３
2019002163.tif 000002
【特許請求の範囲】
【請求項１】
木製長方形状の壁パネルと、
前記壁パネルの各端縁に沿って配置され、前記各端縁のそれぞれに対向する面に、当該端縁が挿入される溝が設けられた木製の枠部材と、を備え、
前記壁パネルは、
長方形の構造用合板と、
前記構造用合板の表面に、当該構造用合板の縦方向に沿って接合された間柱と、
前記構造用合板における前記間柱が設けられた表面とは別の表面に、当該構造用合板の横方向に沿って接合された反り止めと、
を備えることを特徴とする建物の壁構造。
【請求項２】
前記構造用合板は、板厚方向に間隔を空けて複数枚配置され、
前記間柱は、板厚方向の一側に位置する前記構造用合板の表面に、前記構造用合板の縦方向に沿って接合され、
前記反り止めは、板厚方向の他側に位置する前記構造用合板の表面に、前記構造用合板の横方向に沿って接合され、
前記壁パネルは、板厚方向に隣り合う前記構造用合板同士の間に配置されるとともに、一方の前記構造用合板と他方の前記構造用合板のそれぞれに接合された芯材をさらに備える、
ことを特徴とする請求項１に記載の建物の壁構造。
【請求項３】
前記構造用合板は、板厚方向に間隔を空けて複数枚配置され、
前記間柱は、板厚方向の一側に位置する前記構造用合板の表面に、当該構造用合板の縦方向に沿って接合され、
前記反り止めは、板厚方向に隣り合う前記構造用合板同士の間に配置されるとともに、一方の前記構造用合板と他方の前記構造用合板のそれぞれに接合された、
ことを特徴とする請求項１に記載の建物の壁構造。
【請求項４】
前記溝は、前記構造用合板の端縁が挿入されるものであって、開口周縁の幅よりも内奥部の少なくとも一部の溝幅が広く設けられ、
前記構造用合板の端縁が挿入された状態で、前記溝の最奥面と当該最奥面と対向する前記構造用合板の端縁との間には間隔が空けられ、
前記溝の内面と当該溝に挿入された前記構造用合板の端縁との隙間には、弾性を有した樹脂製の充填材が充填されている、
ことを特徴とする請求項１から３の何れか１項に記載の建物の壁構造。
【請求項５】
前記溝は、
前記開口周縁から内奥方向に設けられ、溝幅が前記開口周縁の幅以下の狭隘部と、
前記狭隘部よりも前記内奥方向に設けられ、溝幅が前記狭隘部の溝幅よりも広い広幅部と、
を備えることを特徴とする請求項４に記載の建物の壁構造。
【請求項６】
前記壁パネルにおける一方の表面と他方の表面との少なくとも一方を、断熱性を有した断熱パネルで覆った、
ことを特徴とする請求項１から５の何れか１項に記載の建物の壁構造。
【発明の詳細な説明】
【技術分野】
【０００１】
本発明は、木製の壁パネルの各端縁を木製の枠部材で支持した建物の壁構造に関する。
【背景技術】
【０００２】
壁パネルを用いて建物の壁構造を構築する技術が開示されている。例えば特許文献１には、長方形板で作製された壁パネル（構造用パネル）の端縁を柱の側面に形成された溝に挿入することで、壁構造を構築する技術が開示されている。特許文献２には、小口面に筋状突部を形成したコンクリート製の壁パネルと小口面に溝を形成したコンクリート製の壁パネルとを、筋状突部を溝に挿入して横並びに配置するとともに、両壁パネルの小口面同士が対向する目地部に、弾性を有した樹脂製の充填材を充填する壁構造が開示されている。
引用文献２の技術を引用文献１の技術に適用し、柱に形成された溝と、溝内に挿入された壁パネルの端縁との間に充填材を充填して壁構造を形成することが考えられるが、この壁構造では、地震等によって壁パネルの表面に沿った方向の外力が加わった場合、壁パネルが破損し易いという問題があった。
【先行技術文献】
【特許文献】
【０００３】
【特許文献１】特開平１１−９３２８８号公報
【特許文献２】特開２００９−２４３２５１公報
【発明の概要】
【発明が解決しようとする課題】
【０００４】
本発明は、従来技術の構成において壁パネルが破損し易いという問題があったことに鑑みてなされたものであり、外力に対する壁パネルの耐性を向上させることを目的とする。
【課題を解決するための手段】
【０００５】
上記課題を解決するために、本発明に係る建物の壁構造は、木製長方形状の壁パネルと、前記壁パネルの各端縁に沿って配置され、前記各端縁のそれぞれに対向する面に、当該端縁が挿入される溝が設けられた木製の枠部材と、を備え、前記壁パネルは、長方形の構造用合板と、前記構造用合板の表面に、当該構造用合板の縦方向に沿って接合された間柱と、前記構造用合板における前記間柱が設けられた表面とは別の表面に、当該構造用合板の横方向に沿って接合された反り止めと、を備えることを特徴とする。
なお、本発明における長方形には、四辺の長さが等しい正方形が含まれる。
【発明の効果】
【０００６】
本発明によれば、外力に対する壁パネルの耐性を向上させることができる。
【図面の簡単な説明】
【０００７】
【図１】木造建物の一部分を説明する図である。
【図２】木造建物の壁構造を説明する図である。
【図３】（ａ）は耐震パネルの正面図、（ｂ）は耐震パネルの背面図、（ｃ）は耐震パネルの側面図である。
【図４】（ａ）は柱の端部に設けたほぞの斜視図、（ｂ）は柱の横断面図、（ｃ）は柱に設けた溝の横断面形状を説明する図である。
【図５】（ａ）は２枚の耐震パネルを９０度の角度で柱に接続した場合の柱及び周辺部分の部分拡大断面図、（ｂ）は柱と耐震パネルの接続部分の部分拡大断面図である。
【図６】（ａ）は３つの表面に溝を設けた柱の横断面図、（ｂ）は隣り合う２つの表面に溝を設けた柱の横断面図、（ｃ）は平行な２つの表面に溝を設けた柱の断面図、（ｄ）は上面と下面のそれぞれに溝を設けた梁の横断面図、（ｅ）は下面に溝を設けた軒桁の横断面図、（ｆ）は土台の横断面図である。
【図７】（ａ）は１枚目の耐震パネルを取り付ける前の状態を説明する図、（ｂ）は溝に充填材を充填した状態を説明する部分拡大断面図である。
【図８】１枚目の耐震パネルを取り付ける途中の様子を説明する図である。
【図９】（ａ）は１枚目の耐震パネルを取り付けた状態を説明する図、（ｂ）は柱の溝に充填された充填材を説明する部分拡大断面図である。
【図１０】２枚目の耐震パネルを取り付ける途中の様子を説明する図である。
【図１１】２枚目の耐震パネルを取り付けた状態を説明する図である。
【図１２】４枚目の耐震パネルを取り付けた状態を説明する図である。
【図１３】梁を取り付ける前の様子を説明する図である。
【図１４】梁を取り付けた状態を説明する図である。
【図１５】（ａ）は第１変形例の溝の内面形状を説明する断面図、（ｂ）は第１変形例の溝に構造用合板の端縁を挿入し、充填材を充填した状態を説明する図である。
【図１６】（ａ）〜（ｃ）は第２〜第４変形例の溝の内面形状を説明する断面図である。
【図１７】（ａ）は第５変形例の溝の内面形状を説明する断面図、（ｂ）は第５変形例の溝に構造用合板の端縁を挿入し、充填材を充填した状態を説明する図である。
【図１８】（ａ）〜（ｄ）は第６〜第９変形例の溝の内面形状を説明する断面図である。
【図１９】（ａ）〜（ｃ）は第１〜第３変形例の柱を説明する断面図である。
【図２０】第２実施形態の壁構造を適用した木造建物の一部分を説明する図である。
【図２１】（ａ）は第２実施形態の壁構造を室内側から見た状態を説明する図、（ｂ）は第２実施形態の壁構造を室外側から見た状態を説明する図、（ｃ）は第２実施形態の壁構造の平面図である。
【図２２】（ａ）は第３実施形態の壁構造を室内側から見た状態を説明する図、（ｂ）は第３実施形態の壁構造を室外側から見た状態を説明する図、（ｃ）は第３実施形態の壁構造の平面図である。
【図２３】（ａ）は第４実施形態の壁構造を室外側から見た状態を説明する図、（ｂ）は第４実施形態の壁構造の縦断面図である。
【図２４】（ａ）は第４実施形態の第１変形例における壁構造を室外側から見た状態を説明する図、（ｂ）は第４実施形態の第１変形例における壁構造の縦断面図である。
【図２５】（ａ）は第５実施形態の壁構造を説明する縦断面図、（ｂ）は第５実施形態の壁構造に用いられる耐震パネルの縦断面図、（ｃ）は上側溝部材の断面図、（ｄ）は下側溝部材の断面図である。
【発明を実施するための形態】
【０００８】
以下、本発明の実施形態について、図面を参照して説明する。
＜木造建物１の全体構成＞
図１は、本発明が適用される木造建物１の一部分を説明する図である。例示した木造建物１は、地表面ＧＬに形成された基礎２と、基礎２の外周上面に基礎パッキン３を介して固定された土台４と、土台４の上面に敷設された一階部分の床板５Ａと、土台４の上に垂直に立てられた一階部分の柱６Ａと、隣り合う一対の柱６Ａの間に取り付けられた一階部分の耐震パネル７Ａと、一階部分の柱６Ａの上端に取り付けられる梁８と、梁８に敷設された二階部分の床板５Ｂと、梁８の上に垂直に立てられた二階部分の柱６Ｂと、隣り合う一対の柱６Ｂの間に取り付けられた二階部分の耐震パネル７Ｂと、窓を取り付けるための窓まぐさ９及び窓台１０と、二階部分の柱６Ｂの上端に取り付けられる軒桁１１と、を備えている。
便宜上、以下の説明において、一階部分の柱６Ａと二階部分の柱６Ｂとを区別しない場合は柱６といい、一階部分の耐震パネル７Ａと二階部分の耐震パネル７Ｂとを区別しない場合は耐震パネル７という。
【０００９】
木造建物１を構成する部材のうち、耐震パネル７は壁パネルの一種であり、木製であって正面視で長方形をしている。なお、本明細書における長方形には、四辺の長さが等しい正方形が含まれる。土台４、柱６、梁８、及び軒桁１１は枠部材の一種であり、木材によって作製され、耐震パネル７の各端縁に沿って配置されている。土台４、柱６、梁８、及び軒桁１１における耐震パネル７の端縁と対向する面には溝１２が設けられており、溝１２には耐震パネル７が備える構造用合板１６の端縁１６ａ（図３参照）が挿入される。詳細は後述するが、溝１２の内面と構造用合板１６の端縁１６ａとの間には充填材１９（図５（ｂ）参照）が充填されている。
また、耐震パネル７における室外側の表面は、断熱性を有した外壁パネル１３（断熱パネルの一種）で覆われており、外壁パネル１３における室外側の表面は、断熱性及び遮水性を有した外壁材１４で覆われている。また、図２に示すように、耐震パネル７における室内側の表面は、断熱性を有した内壁パネル１５（断熱パネルの一種）で覆われているが、図示の都合上、図１では内壁パネル１５を省略している。
【００１０】
＜木造建物１の壁構造＞
図２は、木造建物１の壁構造を説明する図であり、図３（ａ）〜（ｃ）は耐震パネル７Ｃの正面図、背面図及び側面図である。
図２に示すように、耐震パネル７は、横方向の幅が異なる複数種類の耐震パネル７Ｃ、７Ｄを用いている。本実施形態では、横方向の幅が例えば８４５ｍｍとされた標準幅の耐震パネル７Ｃと、横方向の幅が例えば１７５５ｍｍとされた広幅の耐震パネル７Ｄとを用いている。なお、何れの耐震パネル７Ｃ、７Ｄも高さは同じであり、例えば２７３０ｍｍとされている。
図３に示すように、標準幅の耐震パネル７Ｃは、長方形の構造用合板１６と、構造用合板１６における室内側の表面に構造用合板１６の縦方向に沿って接合された間柱１７と、構造用合板１６における室外側の表面に構造用合板１６の横方向に沿って接合された反り止め１８と、を備えている。
構造用合板１６は、繊維方向を互いにほぼ直角にして３枚以上の木板を積層接着したものであって日本農林規格に適合したものである。標準幅の耐震パネル７Ｃに用いられる構造用合板１６は、例えば縦方向の高さが横方向の幅よりも大きい長方形であり、高さが２７３０ｍｍ、幅が８４５ｍｍ、厚さが９ｍｍとされているが、この寸法に限られるものではない。
【００１１】
間柱１７は、構造用合板１６における縦方向のたわみを抑制する角柱材であり、例えば断面寸法が４８ｍｍ×４５ｍｍとされ、長さが２６９０ｍｍとされている。間柱１７は構造用合板１６における横方向の中央位置に配置され、間柱１７の上端縁は構造用合板１６の上端縁よりも下方に配置され、間柱１７の下端縁は構造用合板１６の下端縁よりも上方に配置される。例えば、間柱１７の上端縁は構造用合板１６の上端縁よりも２０ｍｍ下方に配置され、間柱１７の下端縁は構造用合板１６の下端縁よりも２０ｍｍ上方に配置される。
反り止め１８は、構造用合板１６における横方向のたわみを抑制する角柱材であり、例えば断面寸法が４８ｍｍ×５０ｍｍとされ、長さが８０５ｍｍの集成材が用いられている。反り止め１８は、構造用合板１６における高さ方向に所定の間隔を空けて複数本配置される。例示した耐震パネル７Ｃでは、５本の反り止め１８が高さ方向に等間隔で配置される。具体的には、構造用合板１６における高さ方向の中間位置に１本の反り止め１８が配置されるとともに、中間位置の反り止め１８よりも上方には２本の反り止め１８が等間隔で配置され、中間位置の反り止め１８よりも下方には２本の反り止め１８が等間隔で配置される。そして、縦方向に隣り合う反り止め１８の間隔は例えば４４１ｍｍである。なお、高さ方向の中間位置に配置される反り止め１８を、他の反り止め１８よりも太くしてもよい。例えば、断面寸法が４８ｍｍ×１００ｍｍの集成材を使用してもよい。
また、各反り止め１８の左端縁は構造用合板１６における左端縁よりも右側に配置され、各反り止め１８の右端縁は構造用合板１６における右端縁よりも左側に配置されている。例えば、各反り止め１８の左端縁は構造用合板１６における左端縁よりも２０ｍｍ右側に配置され、各反り止め１８の右端縁は構造用合板１６における右端縁よりも２０ｍ左側に配置されている。したがって、構造用合板１６の端縁（上端縁、下端縁、左端縁、右端縁）１６ａには、間柱１７及び反り止め１８が配置されない。
【００１２】
図２に示す広幅の耐震パネル７Ｄは、標準幅の耐震パネル７Ｃと同じく、構造用合板１６、間柱１７及び反り止め１８を備えている。広幅の耐震パネル７Ｄは、標準幅の耐震パネル７Ｃよりも横方向の幅が広くなっており、間柱１７の数が増えている点が相違している。広幅の耐震パネル７Ｄが備える構造用合板１６は、例えば高さが２７３０ｍｍ、幅が１７５５ｍｍ、厚さが９ｍｍとされている。また、広幅の耐震パネル７Ｄには、例えば３本の間柱１７が等間隔（例えば４５５ｍｍ間隔）で配置されている。例示した耐震パネル７Ｄにおいて、３本の間柱１７のうち左側と右側とに位置する２本の間柱１７は、標準幅の耐震パネル７Ｃに用いられている間柱１７と同じ寸法（例えば４８ｍｍ×４５ｍｍ×２６９０ｍｍ）であり、中央に位置する１本の間柱１７は標準幅の耐震パネル７Ｃに用いられている間柱１７よりも広幅（例えば４８ｍｍ×５２．４ｍｍ×２６９０ｍｍ）である。広幅の耐震パネル７Ｄでも、構造用合板１６の端縁１６ａには、間柱１７及び反り止め１８が配置されない。
【００１３】
＜第１実施形態の溝１２について＞
図４（ａ）は柱６の端部に設けたほぞ６ａの斜視図、図４（ｂ）は柱６の横断面図、図４（ｃ）は柱６に設けた溝１２の横断面形状を説明する図である。
図４（ａ）に示すように、柱６の端部にはほぞ６ａが設けられている。なお、図４（ａ）では、柱６の一端部に設けられたほぞ６ａを示したが、ほぞ６ａは柱６の両端部に設けられている。ほぞ６ａは、柱６を立てる場合に、土台４、梁８、及び軒桁１１に設けられたほぞ穴（不図示）に挿入される。柱６の各側面には、柱６の長手方向（軸方向）に沿って溝１２が形成されている。この溝１２には、耐震パネル７が備える構造用合板１６の対応する端縁１６ａが挿入される。
図４（ｃ）に例示するように、溝１２はアリ溝である。したがって、溝１２における内奥部の溝幅は、開口周縁の幅Ｗ１２Ｕよりも広く、開口周縁よりも奥に向かうに連れて広くなっている。溝１２の各部の寸法は、構造用合板１６の端縁１６ａの寸法に応じて定められている。例えば、構造用合板１６の厚さが例えば９ｍｍであることから、溝１２における開口周縁の幅Ｗ１２Ｕは例えば構造用合板１６の厚さよりも１ｍｍ広い１０ｍｍに定められている。また、構造用合板１６の端縁から内側に２０ｍｍの範囲が溝１２に挿入されることから、溝１２の深さＤ１２は、例えば構造用合板１６の挿入長（端縁１６ａの幅）よりも１ｍｍ大きな２１ｍｍに定められている。また、溝１２の最奥部（底面）における溝幅Ｗ１２Ｂは、例えば１４ｍｍに定められている。
【００１４】
図５（ａ）は２枚の耐震パネル７を９０度の角度で柱６に接続した場合の柱６及び周辺部分の部分拡大断面図であり、図５（ｂ）は柱６と耐震パネル７の接続部分の部分拡大断面図である。
図５（ａ）に示すように、木造建物１の隅角部に位置する柱６に対しては、２枚の耐震パネル７が９０度の角度で取り付けられる。したがって、柱６の対応する２つの面にはそれぞれ溝１２が形成され、各溝１２には構造用合板１６の端縁１６ａが挿入されている。
図５（ｂ）に示すように、溝１２に挿入された構造用合板１６の端縁１６ａは、溝１２の最奥面よりも深さ方向の手前に位置しており、溝１２の内面と構造用合板１６の端縁１６ａとの間には充填材１９が充填されている。充填材１９には、気密性、液密性、及び弾性を備えた樹脂が用いられる。例えばシリコン系樹脂やウレタン系樹脂が好適に用いられる。
充填材１９が溝１２の内奥部に充填されることで、構造用合板１６の端縁１６ａは、溝１２の内面に直接接触せずに充填材１９に覆われた状態で溝１２の内部に保持される。また、充填材１９の一部は、溝１２の開口よりも外側に溢れ出て硬化している。溢れ出た充填材１９は、溝１２の開口周縁を超えて柱６の側面に広がっている。
【００１５】
図６（ａ）〜（ｃ）は柱６の横断面図、図６（ｄ）は梁８の横断面図、図６（ｅ）は軒桁１１の横断面図、図６（ｆ）は土台４の横断面図である。
柱６に関し、図４で説明した４つの表面のそれぞれに溝１２が形成されたものの他、図６（ａ）に示す３つの表面のそれぞれに溝１２を設けたもの、図６（ｂ）に示す隣り合う２つの表面に溝１２を設けたもの、図６（ｃ）に示す平行な２つの表面に溝１２を設けたものが適宜に用いられる。
梁８に関しては、図６（ｄ）に示すように上面と下面のそれぞれに溝１２が設けられる。軒桁１１に関しては、図６（ｅ）に示すように下面に溝１２が設けられる。土台４に関しては、図６（ｆ）に示すように上面に溝１２が設けられる。
【００１６】
＜壁構造による作用効果＞
図２及び図３で説明したように、本実施形態の壁構造では、耐震パネル７（７Ｃ、７Ｄ）が、長方形の構造用合板１６と、構造用合板１６の表面に、当該構造用合板１６の縦方向に沿って接合された間柱１７と、構造用合板１６における間柱１７が設けられた表面とは別の表面（裏面）に、当該構造用合板１６の横方向に沿って接合された反り止め１８と、を備えているので、建物１に対する縦方向及び横方向の揺れに対する耐震パネル７の耐性を向上させることができる。
上述した壁構造では、図５（ｂ）で説明したように、構造用合板１６の端縁１６ａが枠部材（土台４、柱６、梁８、及び軒桁１１）に設けられた溝１２内に挿入され、溝１２の内面と当該溝１２に挿入された構造用合板１６の端縁１６ａとの隙間には充填材１９が充填されているので、地震等による外力が耐震パネル７に加わったとしても建物１の揺れ方向を水平方向（図１参照）に規制でき、構造用合板１６の端縁１６ａが枠部材から引き抜かれてしまう不都合を抑制できる。
また、枠部材に形成された溝１２がアリ溝であること、及び、充填材１９が構造用合板１６の端縁１６ａを覆う状態で充填されていることから、構造用合板１６の端縁１６ａに対して溝１２から離隔させる方向の外力が加わっても充填材１９が楔のように作用し、構造用合板１６の端縁１６ａが溝１２から外れてしまう不都合を抑制できる。加えて、構造用合板１６の端縁１６ａが、溝１２の内面に直接接触せずに充填材１９に覆われた状態で溝１２の内部に保持されているので、構造用合板１６の端縁１６ａに対して溝１２の内奥部に押し込む方向の外力が加わっても充填材１９がクッションとなって耐震パネル７に加わる衝撃を緩和できる。
【００１７】
＜壁構造の構築手順＞
次に、上述した壁構造の構築手順について説明する。ここで、図７（ａ）は、１枚目の耐震パネル７を取り付ける前の状態を説明する図、図７（ｂ）は、溝１２に充填材１９を充填した状態を説明する部分拡大断面図である。図８は、１枚目の耐震パネル７を取り付ける途中の様子を説明する図である。図９（ａ）は、１枚目の耐震パネル７を取り付けた状態を説明する図、図９（ｂ）は、柱６の溝１２に充填された充填材１９を説明する部分拡大断面図である。図１０は、２枚目の耐震パネル７を取り付ける途中の様子を説明する図である。図１１は、２枚目の耐震パネル７を取り付けた状態を説明する図である。図１２は、４枚目の耐震パネル７を取り付けた状態を説明する図である。図１３は、梁８を取り付ける前の様子を説明する図である。図１４は、梁８を取り付けた状態を説明する図である。
なお、耐震パネル７の端縁とは構造用合板１６の端縁１６ａに相当する。したがって、構築手順の説明における、耐震パネル７の左端縁、右端縁、上端縁及び下端縁とは、それぞれ構造用合板１６の左端縁、右端縁、上端縁及び下端縁である。
【００１８】
図７（ａ）に示すように、１枚目の耐震パネル７の取り付けに先立って、一対の柱６を土台４に立てる。図示の例では、木造建物１の隅角部に位置する左側の柱６については土台４の上に垂直に立て、右側の柱６については上側部分を右方に傾けた状態で立てている。なお、図７（ｂ）に示すように、一対の柱６及び土台４における各溝１２（詳しくは１枚目の耐震パネル７の各端縁が挿入される各溝１２）には、硬化前の充填材１９を予め充填しておく。充填材１９の充填量は、耐震パネル７の端縁が挿入された場合に、溝１２の開口縁から充填材１９が多少溢れる程度に調整する。
一対の柱６を土台４に立てたならば、図８に示すように、１枚目の耐震パネル７の左端縁を左側の柱６の溝１２に、右端縁を右側の柱６の溝１２にそれぞれ挿入する。１枚目の耐震パネル７の左右端縁を各溝１２に挿入したならば、この耐震パネル７を下方に移動させる。
耐震パネル７の下端縁が土台４の溝１２に挿入されるまで耐震パネル７を下方に移動させたならば、図９（ａ）に示すように、右側の柱６を土台４の上に垂直に立てる。これにより、図９（ｂ）に示すように、一対の柱６及び土台４の各溝１２において、充填材１９が耐震パネル７の端縁（構造用合板１６の端縁１６ａ）を覆う状態で充填される。
【００１９】
１枚目の耐震パネル７に続いて、２枚目の耐震パネル７を取り付ける。図１０に示すように、２枚目の耐震パネル７は、１枚目の耐震パネル７と同様の手順で、１枚目の耐震パネル７の右隣に取り付けられる。図１０では、上側部分を右方に傾けた状態で右側の柱６を立てた後、２枚目の耐震パネル７の左端縁を左側の柱６の溝１２に、右端縁を右側の柱６の溝１２にそれぞれ挿入した状態を示している。図１０の状態から２枚目の耐震パネル７を下方に移動させ、その後、右側の柱６を土台４の上に垂直に立てることで、図１１に示すように、２枚目の耐震パネル７が一対の柱６及び土台４に取り付けられる。
３枚目以降の耐震パネル７については、１枚目及び２枚目の耐震パネル７と同様の手順で取り付けられる。図１２は、４枚の耐震パネル７が取り付けられた状態を示している。所定範囲の壁構造を構成する複数枚の耐震パネル７が取り付けられたならば、梁８を取り付ける。梁８を取り付ける場合、梁８の下面に形成された溝１２（図６（ｄ）参照）には硬化前の充填材１９を充填する。図１３に示すように、梁８を各柱６の上端よりも上方に位置付けた後、図１４に示すように、各柱６の上端部に形成されたほぞ６ａを梁８の下面に形成されたほぞ穴（不図示）に挿入するとともに、耐震パネル７の上端縁を梁８の下面に形成された溝１２に挿入する。これにより、梁８が取り付けられるとともに、梁８に形成された溝１２と耐震パネル７の上端縁との間に充填材１９が充填される。
なお、木造建物１の一階部分における他の壁構造、及び、木造建物１の二階部分の壁構造については、同様の手順で構築されることから説明は省略する。
【００２０】
＜等幅狭隘部１２ａを備えた変形例の溝１２Ａ〜１２Ｄについて＞
次に、上述した溝１２の変形例について説明する。図１５（ａ）は第１変形例の溝１２Ａの内面形状を説明する断面図、図１５（ｂ）は第１変形例の溝１２Ａに構造用合板１６の端縁１６ａを挿入し、充填材１９を充填した状態を説明する図である。図１６（ａ）〜（ｃ）は第２変形例の溝１２Ｂ〜第４変形例の溝１２Ｄの内面形状を説明する断面図である。
【００２１】
図１５（ａ）に示すように、第１変形例の溝１２Ａは、開口周縁から内奥方向に設けられ、溝幅が開口周縁の幅Ｗ１２Ｕと等しい等幅狭隘部１２ａと、等幅狭隘部１２ａよりも内奥方向に設けられ、溝幅が等幅狭隘部１２ａの溝幅よりも広い広幅部１２ｂと、を備えている。広幅部１２ｂの溝幅は、溝１２Ａの奥に向かうに連れて広くなっている。図１５（ａ）の例において、溝１２Ａにおける開口周縁の幅Ｗ１２Ｕは１０ｍｍ、等幅狭隘部１２ａの深さ（内奥方向の長さ）Ｄ１２ａは８ｍｍ、広幅部１２ｂの深さ（内奥方向の長さ）Ｄ１２ｂは１３ｍｍ、及び、広幅部１２ｂにおける最奥面の溝幅Ｗ１２Ｄは１４ｍｍであるが、この寸法に限られるものではない。
図１５（ｂ）に示すように、第１変形例の溝１２Ａには構造用合板１６の端縁１６ａが挿入され、溝１２Ａの内面と構造用合板１６の端縁１６ａとの隙間には充填材１９が充填される。
第１変形例の溝１２Ａを用いた木造建物１の壁構造では、地震等によって構造用合板１６の表面に沿った方向の外力が耐震パネル７に加わったとしても、構造用合板１６の端縁１６ａを枠部材Ｘから外れ難くすることができる。例えば、構造用合板１６の端縁１６ａに対して溝１２から離隔させる方向の外力が加わっても、広幅部１２ｂに充填された充填材１９が楔のように作用するので、構造用合板１６の端縁１６ａが溝１２から外れてしまう不都合を抑制できる。また、構造用合板１６の端縁１６ａに対して溝１２の内奥部に押し込む方向の外力が加わっても、充填材１９がクッションとなって耐震パネル７に加わる衝撃を緩和できる。さらに、等幅狭隘部１２ａを備えているので、枠部材Ｘ（土台４、柱６、梁８、及び軒桁１１）における溝１２の開口近傍において、等幅狭隘部１２ａに相当する厚みを確保でき、枠部材Ｘの破損を効果的に抑制できる。
【００２２】
第１変形例の溝１２Ａにおいて、広幅部１２ａの溝幅は、広幅部１２ａの奥に向かうに連れて広くなっていたが、この形状に限定されるものではない。例えば、図１６（ａ）に示す第２変形例の溝１２Ｂにおいて、広幅部１２ｃの溝幅は、溝１２Ｂにおける開口周縁の幅Ｗ１２Ｕよりも広く、且つ、広幅部１２ｃの内奥方向において一定幅である。図１６（ｂ）に示す第３変形例の溝１２Ｃにおいて、広幅部１２ｄの内面は溝幅方向の外側に向けて谷形に窪んだ谷形凹面によって構成されている。図１６（ｃ）に示す第４変形例の溝１２Ｄにおいて、広幅部１２ｅの内面は溝幅方向の外側に湾曲された凹状湾曲面によって構成されている。
各変形例の溝１２Ａ〜１２Ｄを用いた木造建物１の壁構造では、構造用合板１６の端縁１６ａに対して溝１２Ａ〜１２Ｄから離隔させる方向の外力が加わっても、構造用合板１６の端縁１６ａが溝１２Ａ〜１２Ｄから外れてしまう不都合を抑制できる。また、構造用合板１６の端縁１６ａに対して溝１２Ａ〜１２Ｄの内奥部に押し込む方向の外力が加わっても、耐震パネル７に加わる衝撃を緩和できる。
【００２３】
＜狭幅狭隘部１２ｈを備えた変形例の溝１２Ｅ〜１２Ｉについて＞
次に、上述した溝１２の他の変形例について説明する。図１７（ａ）は第５変形例の溝１２Ｅの内面形状を説明する断面図、図１７（ｂ）は第５変形例の溝１２Ｅに構造用合板１６の端縁１６ａを挿入し、充填材１９を充填した状態を説明する図である。図１８（ａ）〜（ｄ）は第６変形例の溝１２Ｆ〜第９変形例の溝１２Ｉの内面形状を説明する断面図である。
【００２４】
図１７（ａ）に示すように、第５変形例の溝１２Ｅは、開口周縁から内奥方向に設けられ、溝幅が開口周縁の幅Ｗ１２Ｕよりも狭い狭幅狭隘部１２ｆと、狭幅狭隘部１２ｆよりも内奥方向に設けられ、溝幅が狭幅狭隘部１２ｆの溝幅よりも広い広幅部１２ｇと、を備えている。狭幅狭隘部１２ｆにおける溝幅は、狭幅狭隘部１２ｆの奥に向かうほどに狭くなった後、一定幅になっている。広幅部１２ｇの溝幅は、広幅部１２ｇの奥に向かうに連れて広くなっている。図１７（ａ）の例において、溝１２Ｅにおける開口周縁の幅Ｗ１２Ｕは１５ｍｍ、狭幅狭隘部１２ｆの深さ（内奥方向の長さ）Ｄ１２ｆは８ｍｍ、狭幅狭隘部１２ｆにおける最も狭い箇所の溝幅Ｗ１２Ｍは１０ｍｍ、広幅部１２ｇの深さ（内奥方向の長さ）Ｄ１２ｇは１３ｍｍ、及び、広幅部１２ｇにおける最奥面の溝幅Ｗ１２Ｄは１４ｍｍであるが、この寸法に限られるものではない。
図１７（ｂ）に示すように、第５変形例の溝１２Ｅには構造用合板１６の端縁１６ａが挿入され、溝１２Ｅの内面と構造用合板１６の端縁１６ａとの隙間には充填材１９が充填される。
第５変形例の溝１２Ｅを用いた木造建物１の壁構造では、地震等によって構造用合板１６の表面に沿った方向の外力が構造用合板１６に加わったとしても、構造用合板１６の端縁１６ａを枠部材Ｘから外れ難くすることができる。特に、第５変形例の溝１２Ｅは狭幅狭隘部１２ｆを備えているので、構造用合板１６の端縁１６ａに対して溝１２Ｇの内奥部に押し込む方向の外力が加わった場合、溝１２Ｅの開口近傍に充填された充填材１９が楔のように作用し、耐震パネル７の過度な移動が抑制される。また、溝１２Ｅにおける開口周縁の幅Ｗ１２Ｕを、第１実施形態と比較して広くすることができるため、構造用合板１６の端縁１６ａを溝１２Ｅの内部へ容易に挿入できる。
【００２５】
狭幅狭隘部１２ｆを備える溝の内面形状は、第５変形例の溝１２Ｅの内面形状に限定されるものではない。例えば、図１８（ａ）に示す第６変形例の溝１２Ｆでは、狭幅狭隘部１２ｆの深さが第５変形例の溝１２Ｅと比較して浅くなっており、その分、広幅部１２ｈの深さが第５変形例の溝１２Ｅと比較して深くなっている。図１８（ｂ）に示す第７変形例の溝１２Ｇにおいて、広幅部１２ｉの溝幅は、狭幅狭隘部１２ｆにおける最も狭い溝幅よりも広く、且つ、広幅部１２ｉの内奥方向において一定幅である。図１８（ｃ）に示す第８変形例の溝１２Ｈにおいて、広幅部１２ｊの内面は溝幅方向の外側に向けて谷形に窪んだ谷形凹面によって構成されている。図１８（ｄ）に示す第９変形例の溝１２Ｉにおいて、広幅部１２ｋの内面は凹状湾曲面によって構成されている。
各変形例の溝１２Ｅ〜１２Ｉを用いた木造建物１の壁構造では、構造用合板１６の端縁１６ａに対して溝１２Ｅ〜１２Ｉから離隔させる方向の外力が加わっても、構造用合板１６の端縁１６ａが溝１２Ｅ〜１２Ｉから外れてしまう不都合を抑制できる。また、構造用合板１６の端縁１６ａに対し、溝１２Ｅ〜１２Ｉの内奥部に押し込む方向の外力が加わっても、耐震パネル７に加わる衝撃を緩和できる。
【００２６】
＜柱６の変形例について＞
前述の第１実施形態における柱６は四角柱であったが、これに限定されない。例えば、図１９（ａ）に示すように、断面形状が円形の円柱６Ｃであってもよいし、図１９（ｂ）（ｃ）に示すように、断面形状が八角形の八角柱６Ｄであってもよい。八角柱６Ｄの場合、図１９（ｂ）に示すように、４つの側面に溝１２を形成してもよいし、図１９（ｃ）に示すように、４つの頂角に溝１２を形成してもよい。円柱６Ｃと八角柱６Ｄの何れを用いても、構造用合板１６の端縁１６ａを溝１２に挿入し、充填材１９を充填することで、前述の第１実施形態と同様な作用効果を奏する。
【００２７】
＜第２実施形態について＞
前述した第１実施形態における木造建物１の壁構造において、標準幅の耐震パネル７Ｃ及び広幅の耐震パネル７Ｄの何れも、１枚の構造用合板１６における一方の表面に当該構造用合板１６の縦方向に沿って間柱１７を接合し、当該構造用合板１６における他方の表面に当該構造用合板１６の横方向に沿って反り止め１８を接合していた。
しかしながら、耐震パネル７は、これらの耐震パネル７Ｃ、７Ｄの構成に限定されるものではない。例えば、構造用合板１６を厚さ方向に間隔を空けて複数枚配置し、厚さ方向の一側に位置する構造用合板１６の一方の表面に、当該構造用合板１６の縦方向に沿って間柱１７を接合し、厚さ方向の他側に位置する構造用合板１６の他方の表面に、当該構造用合板１６の横方向に沿って反り止め１８を接合し、さらに、厚さ方向に隣り合う構造用合板１６同士の間にパネル芯材１７´（図２１（ｃ）参照）を配置し、この芯材１７´を一方の構造用合板１６と他方の構造用合板１６のそれぞれに接合してもよい。以下、このように構成された第２実施形態について説明する。
【００２８】
図２０は、第２実施形態の壁構造を適用した木造建物１の一部分を説明する図である。第２実施形態において、第１実施形態で説明した部材と同じ部材については、同じ符号を付して適宜に説明を省略する。
図２０に示すように、第２実施形態の壁構造は、耐震パネル７Ｅ〜７Ｊを備えている。これらの耐震パネル７Ｅ〜７Ｊは、２枚の構造用合板１６を板厚方向に間隔を空けて配置している点で共通しており、縦方向の高さと横方向の幅が異なっている。加えて、高さに応じて反り止めの本数が規定され、幅に応じて間柱の本数が規定される。
以下、耐震パネル７Ｅ〜７Ｊについて説明するが、耐震パネル７Ｅ〜７Ｊは縦方向の高さと横方向の幅が異なっているものの基本的な構成は共通である。したがって、耐震パネル７Ｅについて説明し、耐震パネル７Ｆ〜７Ｊについては説明を省略する。
【００２９】
図２１（ａ）は第２実施形態の壁構造を室内側から見た状態を説明する図、図２１（ｂ）は第２実施形態の壁構造を室外側から見た状態を説明する図、図２１（ｃ）は第２実施形態の壁構造の平面図である。
耐震パネル７Ｅは、構造用合板１６と、間柱１７と、芯材１７´と、反り止め材１８とを備えている。構造用合板１６は、例えば縦方向の高さが２７３０ｍｍ、横方向の幅が８４５ｍｍ、厚さが９ｍｍである。間柱１７は、例えば断面寸法が２８ｍｍ×４０ｍｍとされ、長さが２６９０ｍｍとされた集成材が用いられている。芯材１７´は、例えば断面寸法が３１ｍｍ×４０ｍｍとされ、長さが２６９０ｍｍとされた集成材が用いられている。反り止め材１８は、例えば断面寸法が２８ｍｍ×４０ｍｍとされ、長さが８０５ｍｍとされた集成材が用いられている。
【００３０】
構造用合板１６は、板厚方向に間隔を空けて２枚配置されている。間柱１７は、板厚方向の一側（図２１（ｃ）の下側）に位置する構造用合板１６の外表面（厚さ方向の一側表面）に接合されている。図２１の例では、２本の間柱１７が構造用合板１６の縦方向に沿って、構造用合板１６の横幅を略３等分する位置に接合されている。芯材１７´は、２枚の構造用合板１６同士の間に配置されるとともに、一方の構造用合板１６と他方の構造用合板１６のそれぞれに接合されている。図２１の例において、２本の芯材１７´における幅方向の位置は、それぞれ２本の間柱１７の幅方向の位置に揃えられている。すなわち、２本の芯材１７´が構造用合板１６の縦方向に沿って、構造用合板１６の横幅を略３等分する位置に接合されている。反り止め１８は、板厚方向の他側（図２１（ｃ）の上側）に位置する構造用合板１６の外表面（厚さ方向の他側表面）に、構造用合板１６の横方向に沿って接合されている。図２１の例では、８本の反り止め１８が高さ方向に等間隔（例えば３０３ｍｍ間隔）で接合されている。
なお、間柱１７及び芯材１７´は釘Ｋによって構造用合板１６に接合されている。同様に、間柱１８も釘Ｋによって構造用合板１６に接合されている。
【００３１】
以上の耐震パネル７Ｅ〜７Ｊでは、前述した第１実施形態の耐震パネル７Ｃ〜７Ｄと比較して、構造用合板１６の枚数が増えていることから剛性を高めることができる。また、耐震パネル７Ｅ〜７Ｊでは、構造用合板１６が板厚方向に間隔を空けて配置されているので、耐震パネル７Ｃ〜７Ｄと比較して、断熱性及び遮音性を向上させることができる。
また、図２０で説明した木造建物１では、隣り合う柱６Ａ同士の間に窓まぐさ９及び窓台１０を設けて複数の窓を取り付けるが、耐震パネル７Ｅ〜７Ｊを用いて壁構造を構築することで、複数の窓を取り付ける壁構造に対しても十分な剛性を付与できる。
【００３２】
＜第３実施形態について＞
図２２（ａ）は第３実施形態の壁構造を室内側から見た状態を説明する図、図２２（ｂ）は第３実施形態の壁構造を室外側から見た状態を説明する図、図２２（ｃ）は第３実施形態の壁構造の平面図である。
第３実施形態の壁構造では耐震パネル７Ｋを用いている。耐震パネル７Ｋは、構造用合板１６と、間柱１７と、芯材１７´と、反り止め材１８とを備えている。図２２（ｃ）に示すように、耐震パネル７Ｋでは、３枚の構造用合板１６が板厚方向に間隔を空けて配置されている。これに伴い、芯材１７´は、１枚目の構造用合板１６と２枚目の構造用合板１６の間、及び、２枚目の構造用合板１６と３枚目の構造用合板１６の間のそれぞれに配置されている。
構造用合板１６は、例えば縦方向の高さが２７３０ｍｍ、横方向の幅が８４５ｍｍ、厚さが９ｍｍである。間柱１７は、例えば断面寸法が２６ｍｍ×４０ｍｍとされ、長さが２６９０ｍｍとされた集成材が用いられている。芯材１７´は、例えば断面寸法が２０ｍｍ×４０ｍｍとされ、長さが２６９０ｍｍとされた集成材が用いられている。反り止め材１８は、例えば断面寸法が２６．５ｍｍ×９０ｍｍとされ、長さが８０５ｍｍとされた集成材が用いられている。
なお、間柱１７及び芯材１７´はビスＢＳによって構造用合板１６に接合され、反り止め材１８は釘Ｋによって構造用合板１６に接合されている。また、第３実施形態における柱６は、断面寸法が例えば１２０ｍｍ×１２０ｍｍの角柱材が用いられている。
【００３３】
第３実施形態の壁構造において、耐震パネル７Ｋは、前述した第２実施形態の耐震パネル７Ｅ〜７Ｊと比較して、構造用合板１６の枚数が増えていることから剛性を高めることができ、かつ、断熱性及び遮音性を一層向上させることができる。
【００３４】
＜第４実施形態について＞
図２３（ａ）は第４実施形態の壁構造を室外側から見た状態を説明する図、図２３（ｂ）は第４実施形態の壁構造の縦断面図である。
第４実施形態の壁構造では耐震パネル７Ｌを用いている。耐震パネル７Ｌは、構造用合板１６と、間柱１７と、反り止め材１８´とを備えている。図２３（ｂ）に示すように、耐震パネル７Ｌでは、３枚の構造用合板１６が板厚方向に間隔を空けて配置されている。間柱１７は、図２３（ｂ）の右側に位置する３枚目の構造用合板１６の外表面に、横方向に間隔を空けて２本接合されている。反り止め材１８´は、１枚目の構造用合板１６と２枚目の構造用合板１６の間、及び、２枚目の構造用合板１６と３枚目の構造用合板１６の間のそれぞれに接合されている。図示の例では、５本の反り止め材１８´が上下方向に等間隔（例えば３６０ｍｍ間隔）で配置されている。
構造用合板１６は、例えば縦方向の高さが２７３０ｍｍ、横方向の幅が８４５ｍｍ、厚さが９ｍｍである。間柱１７は、例えば断面寸法が６０ｍｍ×４０ｍｍとされ、長さが２６９０ｍｍとされた集成材が用いられている。反り止め材１８´は、例えば断面寸法が２６．５ｍｍ×９０ｍｍとされ、長さが８０５ｍｍとされた集成材が用いられている。また、柱６は例えば断面寸法が１５０ｍｍ×１５０ｍｍとされている。
第４実施形態の耐震パネル７Ｌでは、前述した第２実施形態の耐震パネル７Ｅ〜７Ｊと比較して、構造用合板１６の枚数が増えていることから剛性を高めることができ、かつ、断熱性及び遮音性を一層向上させることができる。
【００３５】
＜第４実施形態の第１変形例について＞
図２４（ａ）は第４実施形態の第１変形例における壁構造を室外側から見た状態を説明する図、図２４（ｂ）は第４実施形態の第１変形例における壁構造の縦断面図である。
第４実施形態の第１変形例における壁構造では耐震パネル７Ｍを用いている。耐震パネル７Ｍは、第４実施形態の耐震パネル７Ｌと同じく、構造用合板１６と、間柱１７と、反り止め材１８´とを備え、３枚の構造用合板１６が板厚方向に間隔を空けて配置されている。図２４（ｂ）に示すように、耐震パネル７Ｌでは、３枚の構造用合板１６が板厚方向に間隔を空けて配置されている。間柱１７は、図２４（ｂ）の右側に位置する３枚目の構造用合板１６の外表面に、横方向に等間隔（例えば４１０ｍｍ間隔）で３本接合されている。反り止め材１８´は、１枚目の構造用合板１６と２枚目の構造用合板１６の間、及び、２枚目の構造用合板１６と３枚目の構造用合板１６の間のそれぞれに接合されている。図示の例では、７本の反り止め材１８´が上下方向に等間隔（例えば４５５ｍｍ間隔）で配置されている。
構造用合板１６は、例えば縦方向の高さが３６４０ｍｍ、横方向の幅が１６３０ｍｍ、厚さが２６ｍｍである。間柱１７は、例えば断面寸法が９０ｍｍ×４０ｍｍとされ、長さが３５８０ｍｍとされた集成材が用いられている。反り止め材１８´は、例えば断面寸法が２８ｍｍ×９０ｍｍとされ、長さが１５７０ｍｍとされた集成材が用いられている。また、柱６は例えば断面寸法が２４０ｍｍ×２４０ｍｍとされ、溝１２の深さは３１ｍｍとされ、溝１２に挿入される構造用合板１６の端縁１６ａは外周から内側に３０ｍｍの範囲とされる。
第４実施形態の第１変形例の耐震パネル７Ｍでは、前述した第２実施形態の耐震パネル７Ｅ〜７Ｊと比較して、構造用合板１６の枚数が増えていることから剛性を高めることができ、かつ、断熱性及び遮音性を一層向上させることができる。
【００３６】
＜第５実施形態について＞
図２５（ａ）は第５実施形態の壁構造を説明する縦断面図、図２５（ｂ）は第５実施形態の壁構造に用いられる耐震パネル７Ｎの縦断面図、図２５（ｃ）は上側溝部材２１の断面図、図２５（ｄ）は下側溝部材２２の断面図である。
第５実施形態の壁構造では耐震パネル７Ｎを用いている。耐震パネル７Ｎは、構造用合板１６と、間柱１７と、反り止め材１８´と、上側溝部材２１と、下側溝部材２２とを備えている。なお、図示は省略したが、耐震パネル７Ｎの左側縁には左側溝部材が取り付けられており、耐震パネル７Ｎの右側縁には右側溝部材が取り付けられている。これらの左側溝部材及び右側溝部材は、上側溝部材２１や下側溝部材２２と同様の構造である。
図２５（ｂ）に示すように、耐震パネル７Ｌでは、３枚の構造用合板１６が板厚方向に間隔を空けて配置されている。間柱１７は、図２５（ｂ）における右側に位置する３枚目の構造用合板１６の外表面に、横方向に間隔を空けて複数本接合されている。反り止め材１８´は、１枚目の構造用合板１６と２枚目の構造用合板１６の間、及び、２枚目の構造用合板１６と３枚目の構造用合板１６の間のそれぞれに接合されている。図示の例では、７本の反り止め材１８´が上下方向に等間隔（例えば４５５ｍｍ間隔）で配置されている。
上側溝部材２１は、図２５（ｃ）に示すように、構造用合板１６の上端縁が挿入される溝２１ａが下面に設けられた長方形の板である。溝２１ａは、第１実施形態で説明した溝１２と同様のアリ溝であり、機能も同じであることから説明を省略する。構造用合板１６の端縁と溝２１ａとの間には充填材１９が充填される。下側溝部材２２は、図２５（ｄ）に示すように、構造用合板１６の下端縁が挿入される溝２２ａが上面に設けられた長方形の板である。溝２２ａは、第１実施形態で説明した溝１２と同様のアリ溝であり、機能も同じであることから説明を省略する。構造用合板１６の端縁と溝２２ａとの間には充填材１９が充填される。
図示は省略したが、左側溝部材及び右側溝部材は、上側溝部材２１及び下側溝部材２２と同様に構造用合板１６の左右側縁に取り付けられる。すなわち、耐震パネル７Ｎでは、構造用合板１６の四辺に沿って上側溝部材２１、下側溝部材２２、左側溝部材及び右側溝部材が取り付けられている。上側溝部材２１の上側部分は梁８の下面に設けられた溝８Ｍに挿入され、下側溝部材２２の下側部分は土台４の上面に設けられた溝４Ｍに挿入される。同様に、左側溝部材の左側部分は柱に設けられた溝（不図示）に挿入され、右側溝部材の右側部分は柱に設けられた溝（不図示）に挿入される。なお、図示は省略したが各溝部材と枠部材（土台４、柱６、及び梁８）の溝（溝４Ｍ、溝８Ｍ等）との間には、充填材が充填される。
【００３７】
耐震パネル７Ｎは、例えば、縦方向の高さが３７００ｍｍ、横方向の幅が１６３０ｍｍ、厚さが２０４ｍｍであるが、この寸法に限られるものではない。構造用合板１６は、例えば縦方向の高さが３６４０ｍｍ、横方向の幅が１６３０ｍｍ、厚さが２６ｍｍである。間柱１７は、例えば断面寸法が９０ｍｍ×３０ｍｍとされ、長さが３５８０ｍｍとされた集成材が用いられている。反り止め材１８´は、例えば断面寸法が２８ｍｍ×９０ｍｍとされ、長さが１５７０ｍｍとされた集成材が用いられている。また、柱６は例えば断面寸法が３００ｍｍ×３００ｍｍとされ、構造用合板１６の左右端縁が挿入される溝１２の深さは３１ｍｍとされ、溝２１ａ及び溝２２ａの深さは３１ｍｍとされ、構造用合板１６の端縁１６ａは外周から内側に３０ｍｍの範囲とされる。
第５実施形態の耐震パネル７Ｎでは、前述した第２実施形態の耐震パネル７Ｅ〜７Ｊと比較して、構造用合板１６の枚数が増えており、構造用合板１６の四辺に沿って各溝部材（上側溝部材２１、下側溝部材２２、左側溝部材及び右側溝部材）が取り付けられていることから剛性を高めることができる。また、断熱性及び遮音性を一層向上させることもできる。
【００３８】
＜その他の実施形態＞
耐震パネル７に関し、前述した耐震パネル７Ｅ〜７Ｊでは、板厚方向に間隔を空けて２枚の構造用合板１６を配置し、耐震パネル７Ｋ〜７Ｎでは、板厚方向に間隔を空けて３枚の構造用合板１６を配置していたが、４枚以上の構造用合板１６を板厚方向に間隔を空けて配置してもよい。
また、図２０に示すように、耐震パネル７Ｅの下端面とこの下端面に対向する溝１２との間であって、耐震パネル７Ｅの下端面における長手方向の両端部の位置にスペーサＳＰを配置してもよい。スペーサＳＰは、例えば厚さ１ｍｍ程度の短冊状シートによって作製される。また、スペーサＳＰを、耐震パネル７Ｅ（構造用合板１６）の左右両端面であって上下に離隔させた位置に配置してもよい。
以上の実施形態に記載される構成要素、種類、組み合わせ、形状、その相対配置などは特定的な記載がない限り、この発明の範囲をそれのみに限定する主旨ではなく単なる説明例に過ぎない。
【００３９】
＜本発明の構成、作用、効果のまとめ＞
第１の本発明に係る木造建物１の壁構造では、木製長方形状の耐震パネル７と、耐震パネル７の各端縁に沿って配置され、各端縁のそれぞれに対向する面に、当該端縁が挿入される溝（溝１２、溝４Ｍ、溝８Ｍ）が設けられた木製の枠部材Ｘ（土台４、柱６、梁８、および軒桁１１）と、を備え、耐震パネル７は、長方形の構造用合板１６と、構造用合板１６の表面に、当該構造用合板１６の縦方向に沿って接合された間柱１７と、構造用合板１６における間柱１７が設けられた表面とは別の表面に、当該構造用合板１６の横方向に沿って接合された反り止め１８と、を備えることを特徴とする。
この木造建物１の壁構造では、構造用合板１６の表面に構造用合板１６の縦方向に沿って間柱１７が接合され、構造用合板１６の別の表面に構造用合板１６の横方向に沿って反り止め１８が接合されているので、外力に対する耐震パネル７の耐性を向上させることができる。
【００４０】
第２の本発明に係る木造建物１の壁構造において、構造用合板１６は、板厚方向に間隔を空けて複数枚配置され、間柱１７は、板厚方向の一側に位置する構造用合板１６における当該一端側の表面に、構造用合板１６の縦方向に沿って接合され、反り止め１８は、板厚方向の他側に位置する構造用合板１６における当該他側の表面に、構造用合板１６の横方向に沿って接合され、耐震パネル７Ｅ〜７Ｋは、板厚方向に隣り合う構造用合板１６同士の間に配置されるとともに、一方の構造用合板１６と他方の構造用合板１６のそれぞれに接合された芯材１７´をさらに備える、ことを特徴とする。
この木造建物１の壁構造において、耐震パネル７Ｅ〜７Ｋは、複数枚の構造用合板１６を備えているので、１枚の構造用合板１６を備える耐震パネル７Ｃ〜７Ｄに比べて剛性をさらに高めることができる。また、芯材１７´によって隣り合う構造用合板１６を厚さ方向に離隔させることができるので、断熱性や遮音性を向上させることができる。
【００４１】
第３の本発明に係る木造建物１の壁構造において、構造用合板１６は、板厚方向に間隔を空けて複数枚配置され、間柱１７は、板厚方向の一側に位置する構造用合板における当該一端側の表面に、当該構造用合板１６の縦方向に沿って接合され、反り止め１８´は、板厚方向に隣り合う構造用合板１６同士の間に配置されるとともに、一方の構造用合板１６と他方の構造用合板１６のそれぞれに接合された、ことを特徴とする。
この木造建物１の壁構造において、耐震パネル７Ｌ〜７Ｍは、複数枚の構造用合板１６を備えているので、１枚の構造用合板１６を備える耐震パネル７Ｃ〜７Ｄに比べて剛性をさらに高めることができる。また、反り止め１８´によって隣り合う構造用合板１６を厚さ方向に離隔させることができるので、断熱性や遮音性を向上させることができる。
【００４２】
第４の本発明に係る木造建物１の壁構造において、溝１２は、構造用合板１６の端縁１６ａが挿入されるものであって、開口周縁の幅よりも内奥部の少なくとも一部の溝幅が広く設けられ、構造用合板１６の端縁１６ａが挿入された状態で、溝１２の最奥面と当該最奥面と対向する構造用合板１６の端縁１６ａとの間には間隔が空けられ、溝１２の内面と当該溝１２に挿入された構造用合板１６の端縁１６ａとの隙間には、弾性を有した樹脂製の充填材１９が充填されている、ことを特徴とする。
この木造建物１の壁構造では、構造用合板１６の端縁１６ａが、溝１２の内面に直接接触せずに充填材１９に覆われた状態で溝１２の内部に保持されている。したがって、地震等によって耐震パネル７の表面に沿った方向の外力が耐震パネル７に加わったとしても、構造用合板１６の端縁１６ａを溝１２から外れ難くすることができる。
例えば、構造用合板１６の端縁１６ａに対して溝１２から離隔させる方向の外力が加わっても、充填材１９が楔のように作用するので、構造用合板１６の端縁１６ａが溝１２から外れてしまう不都合を抑制できる。また、構造用合板１６の端縁１６ａに対して溝１２の内奥部に向けて押し込む方向の外力が加わっても、充填材１９がクッションとなって耐震パネル７に加わる衝撃を緩和できる。以上より、外力に対する耐震パネル７の耐性を向上させることができる。
【００４３】
第５の本発明に係る木造建物１の壁構造において、溝１２Ａ〜１２Ｉは、開口周縁から内奥方向に設けられ、溝幅が開口周縁の幅Ｗ１２Ｕ以下の狭隘部１２ａ、１２ｆと、狭隘部１２ａ、１２ｆよりも内奥方向に設けられ、溝幅が狭隘部の溝幅よりも広い広幅部１２ｂ〜１２ｅ、１２ｇ〜１２ｋと、を備えることを特徴とする。
この木造建物１の壁構造では、溝１２の開口周縁と広幅部１２ｂ〜１２ｅ、１２ｇ〜１２ｋとの間に狭隘部１２ａ、１２ｆが設けられているので、枠部材Ｘ（土台４、柱６、梁８、および軒桁１１）における溝１２Ａ〜１２Ｉの開口近傍部分に対して十分な厚みを確保でき、枠部材Ｘの破損を効果的に抑制できる。
【００４４】
第６の本発明に係る木造建物１の壁構造は、耐震パネル７における一方の表面と他方の表面との少なくとも一方を、断熱性を有した外壁パネル１３や内壁パネル１５で覆ったことを特徴とする。
この木造建物１の壁構造では、断熱性を高めることができる。
【符号の説明】
【００４５】
１…木造建物、２…基礎、３…基礎パッキン、４…土台、５Ａ…一階部分の床板、５Ｂ…二階部分の床板、６…柱、６Ａ…一階部分の柱、６Ｂ…二階部分の柱、６Ｃ…円柱、６Ｄ…八角柱、７…耐震パネル、７Ａ…一階部分の耐震パネル、７Ｂ…二階部分の耐震パネル、７Ｃ…標準幅の耐震パネル、７Ｄ…広幅の耐震パネル、７Ｅ〜７Ｊ…第２実施形態の壁構造に用いられる耐震パネル、７Ｋ…第３実施形態の壁構造に用いられる耐震パネル、７Ｌ…第４実施形態の壁構造に用いられる耐震パネル、７Ｍ…第４実施形態の第１変形例の壁構造に用いられる耐震パネル、７Ｎ…第５実施形態の壁構造に用いられる耐震パネル、８…梁、９…窓まぐさ、１０…窓台、１１…軒桁、１２…枠部材（土台、柱、梁、及び軒桁）に設けられた溝、１２Ａ…第１変形例の溝、１２ａ…等幅狭隘部、１２ｂ〜１２ｅ…広幅部、１２ｆ…狭幅狭隘部、１２ｇ〜１２ｋ…広幅部、１３…外壁パネル、１４…外壁材、１５…内壁パネル、１６…構造用合板、１６ａ…構造用合板の端縁、１７…間柱、１７´…芯材、１８…反り止め、１８´…反り止め、１９…充填材、Ｘ…枠部材、ＳＰ…スペーサ
【図１】
2019002163.tif 000003
【図２】
2019002163.tif 000004
【図３】
2019002163.tif 000005
【図４】
2019002163.tif 000006
【図５】
2019002163.tif 000007
【図６】
2019002163.tif 000008
【図７】
2019002163.tif 000009
【図８】
2019002163.tif 000010
【図９】
2019002163.tif 000011
【図１０】
2019002163.tif 000012
【図１１】
2019002163.tif 000013
【図１２】
2019002163.tif 000014
【図１３】
2019002163.tif 000015
【図１４】
2019002163.tif 000016
【図１５】
2019002163.tif 000017
【図１６】
2019002163.tif 000018
【図１７】
2019002163.tif 000019
【図１８】
2019002163.tif 000020
【図１９】
2019002163.tif 000021
【図２０】
2019002163.tif 000022
【図２１】
2019002163.tif 000023
【図２２】
2019002163.tif 000024
【図２３】
2019002163.tif 000025
【図２４】
2019002163.tif 000026
【図２５】
2019002163.tif 000027
【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
木製長方形状の壁パネルと、
前記壁パネルの各端縁に沿って配置され、前記各端縁のそれぞれに対向する面に、当該端縁が挿入される溝が設けられた木製の枠部材と、を備え、
前記壁パネルは、
長方形の構造用合板と、
前記構造用合板の表面に、当該構造用合板の縦方向に沿って接合された間柱と、
前記構造用合板における前記間柱が設けられた表面とは別の表面に、当該構造用合板の横方向に沿って接合された反り止めと、
を備え、
前記溝は、前記構造用合板の端縁が挿入されるものであって、開口周縁の幅よりも内奥部の少なくとも一部の溝幅が広く設けられ、
前記構造用合板の端縁が挿入された状態で、前記溝の最奥面と当該最奥面と対向する前記構造用合板の端縁との間には間隔が空けられ、
前記溝の内面と当該溝に挿入された前記構造用合板の端縁との隙間には、弾性を有した樹脂製の充填材が前記構造用合板の端縁を覆う状態で充填されている、
ことを特徴とする建物の壁構造。
【請求項２】
前記溝は、
前記開口周縁から内奥方向に設けられ、溝幅が前記開口周縁の幅以下の狭隘部と、
前記狭隘部よりも前記内奥方向に設けられ、溝幅が前記狭隘部の溝幅よりも広い広幅部と、
を備えることを特徴とする請求項１に記載の建物の壁構造。
【請求項３】
前記構造用合板は、板厚方向に間隔を空けて複数枚配置され、
前記間柱は、板厚方向の一側に位置する前記構造用合板の表面に、前記構造用合板の縦方向に沿って接合され、
前記反り止めは、板厚方向の他側に位置する前記構造用合板の表面に、前記構造用合板の横方向に沿って接合され、
前記壁パネルは、板厚方向に隣り合う前記構造用合板同士の間に配置されるとともに、一方の前記構造用合板と他方の前記構造用合板のそれぞれに接合された芯材をさらに備える、
ことを特徴とする請求項１又は２に記載の建物の壁構造。
【請求項４】
前記構造用合板は、板厚方向に間隔を空けて複数枚配置され、
前記間柱は、板厚方向の一側に位置する前記構造用合板の表面に、当該構造用合板の縦方向に沿って接合され、
前記反り止めは、板厚方向に隣り合う前記構造用合板同士の間に配置されるとともに、一方の前記構造用合板と他方の前記構造用合板のそれぞれに接合された、
ことを特徴とする請求項１又は２に記載の建物の壁構造。
【手続補正２】
【補正対象書類名】明細書
【補正対象項目名】０００５
【補正方法】変更
【補正の内容】
【０００５】
上記課題を解決するために、本発明に係る建物の壁構造は、木製長方形状の壁パネルと、前記壁パネルの各端縁に沿って配置され、前記各端縁のそれぞれに対向する面に、当該端縁が挿入される溝が設けられた木製の枠部材と、を備え、前記壁パネルは、長方形の構造用合板と、前記構造用合板の表面に、当該構造用合板の縦方向に沿って接合された間柱と、前記構造用合板における前記間柱が設けられた表面とは別の表面に、当該構造用合板の横方向に沿って接合された反り止めと、を備え、前記溝は、前記構造用合板の端縁が挿入されるものであって、開口周縁の幅よりも内奥部の少なくとも一部の溝幅が広く設けられ、前記構造用合板の端縁が挿入された状態で、前記溝の最奥面と当該最奥面と対向する前記構造用合板の端縁との間には間隔が空けられ、前記溝の内面と当該溝に挿入された前記構造用合板の端縁との隙間には、弾性を有した樹脂製の充填材が前記構造用合板の端縁を覆う状態で充填されていることを特徴とする。
なお、本発明における長方形には、四辺の長さが等しい正方形が含まれる。
【手続補正３】
【補正対象書類名】明細書
【補正対象項目名】００３９
【補正方法】変更
【補正の内容】
【００３９】
＜本発明の構成、作用、効果のまとめ＞
第１の本発明に係る木造建物１の壁構造では、木製長方形状の耐震パネル７と、耐震パネル７の各端縁に沿って配置され、各端縁のそれぞれに対向する面に、当該端縁が挿入される溝（溝１２、溝４Ｍ、溝８Ｍ）が設けられた木製の枠部材Ｘ（土台４、柱６、梁８、および軒桁１１）と、を備え、耐震パネル７は、長方形の構造用合板１６と、構造用合板１６の表面に、当該構造用合板１６の縦方向に沿って接合された間柱１７と、構造用合板１６における間柱１７が設けられた表面とは別の表面に、当該構造用合板１６の横方向に沿って接合された反り止め１８と、を備え、溝は、構造用合板１６の端縁１６ａが挿入されるものであって、開口周縁の幅よりも内奥部の少なくとも一部の溝幅が広く設けられ、構造用合板１６の端縁１６ａが挿入された状態で、溝の最奥面と当該最奥面と対向する構造用合板１６の端縁１６ａとの間には間隔が空けられ、溝の内面と当該溝に挿入された構造用合板１６の端縁１６ａとの隙間には、弾性を有した樹脂製の充填材１９が構造用合板１６の端縁１６ａを覆う状態で充填されていることを特徴とする。
この木造建物１の壁構造では、構造用合板１６の表面に構造用合板１６の縦方向に沿って間柱１７が接合され、構造用合板１６の別の表面に構造用合板１６の横方向に沿って反り止め１８が接合されているので、外力に対する耐震パネル７の耐性を向上させることができる。
さらに、この木造建物１の壁構造では、構造用合板１６の端縁１６ａが、溝１２の内面に直接接触せずに充填材１９に覆われた状態で溝１２の内部に保持されている。したがって、地震等によって耐震パネル７の表面に沿った方向の外力が耐震パネル７に加わったとしても、構造用合板１６の端縁１６ａを溝１２から外れ難くすることができる。例えば、構造用合板１６の端縁１６ａに対して溝１２から離隔させる方向の外力が加わっても、充填材１９が楔のように作用するので、構造用合板１６の端縁１６ａが溝１２から外れてしまう不都合を抑制できる。また、構造用合板１６の端縁１６ａに対して溝１２の内奥部に向けて押し込む方向の外力が加わっても、充填材１９がクッションとなって耐震パネル７に加わる衝撃を緩和できる。以上より、外力に対する耐震パネル７の耐性を向上させることができる。
【手続補正４】
【補正対象書類名】明細書
【補正対象項目名】００４０
【補正方法】変更
【補正の内容】
【００４０】
第２の本発明に係る木造建物１の壁構造において、溝１２Ａ〜１２Ｉは、開口周縁から内奥方向に設けられ、溝幅が開口周縁の幅Ｗ１２Ｕ以下の狭隘部１２ａ、１２ｆと、狭隘部１２ａ、１２ｆよりも内奥方向に設けられ、溝幅が狭隘部の溝幅よりも広い広幅部１２ｂ〜１２ｅ、１２ｇ〜１２ｋと、を備えることを特徴とする。
この木造建物１の壁構造では、溝１２の開口周縁と広幅部１２ｂ〜１２ｅ、１２ｇ〜１２ｋとの間に狭隘部１２ａ、１２ｆが設けられているので、枠部材Ｘ（土台４、柱６、梁８、および軒桁１１）における溝１２Ａ〜１２Ｉの開口近傍部分に対して十分な厚みを確保でき、枠部材Ｘの破損を効果的に抑制できる。
【手続補正５】
【補正対象書類名】明細書
【補正対象項目名】００４１
【補正方法】変更
【補正の内容】
【００４１】
第３の本発明に係る木造建物１の壁構造において、構造用合板１６は、板厚方向に間隔を空けて複数枚配置され、間柱１７は、板厚方向の一側に位置する構造用合板１６における当該一端側の表面に、構造用合板１６の縦方向に沿って接合され、反り止め１８は、板厚方向の他側に位置する構造用合板１６における当該他側の表面に、構造用合板１６の横方向に沿って接合され、耐震パネル７Ｅ〜７Ｋは、板厚方向に隣り合う構造用合板１６同士の間に配置されるとともに、一方の構造用合板１６と他方の構造用合板１６のそれぞれに接合された芯材１７´をさらに備える、ことを特徴とする。
この木造建物１の壁構造において、耐震パネル７Ｅ〜７Ｋは、複数枚の構造用合板１６を備えているので、１枚の構造用合板１６を備える耐震パネル７Ｃ〜７Ｄに比べて剛性をさらに高めることができる。また、芯材１７´によって隣り合う構造用合板１６を厚さ方向に離隔させることができるので、断熱性や遮音性を向上させることができる。
【手続補正６】
【補正対象書類名】明細書
【補正対象項目名】００４２
【補正方法】変更
【補正の内容】
【００４２】
第４の本発明に係る木造建物１の壁構造において、構造用合板１６は、板厚方向に間隔を空けて複数枚配置され、間柱１７は、板厚方向の一側に位置する構造用合板における当該一端側の表面に、当該構造用合板１６の縦方向に沿って接合され、反り止め１８´は、板厚方向に隣り合う構造用合板１６同士の間に配置されるとともに、一方の構造用合板１６と他方の構造用合板１６のそれぞれに接合された、ことを特徴とする。
この木造建物１の壁構造において、耐震パネル７Ｌ〜７Ｍは、複数枚の構造用合板１６を備えているので、１枚の構造用合板１６を備える耐震パネル７Ｃ〜７Ｄに比べて剛性をさらに高めることができる。また、反り止め１８´によって隣り合う構造用合板１６を厚さ方向に離隔させることができるので、断熱性や遮音性を向上させることができる。
【手続補正７】
【補正対象書類名】明細書
【補正対象項目名】００４３
【補正方法】削除
【補正の内容】
【手続補正８】
【補正対象書類名】明細書
【補正対象項目名】００４４
【補正方法】削除
【補正の内容】
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
木製長方形状の壁パネルと、
前記壁パネルの各端縁に沿って配置され、前記各端縁のそれぞれに対向する面に、当該端縁が挿入される溝が設けられた木製の枠部材と、を備える建物の壁構造の構築方法であって、
前記壁パネルは、
長方形の構造用合板と、
前記構造用合板の表面に、当該構造用合板の縦方向に沿って接合された間柱と、
前記構造用合板における前記間柱が設けられた表面とは別の表面に、当該構造用合板の横方向に沿って接合された反り止めと、
を備え、
前記溝は、前記構造用合板の端縁が挿入されるものであって、開口周縁の幅よりも内奥部の少なくとも一部の溝幅が広く設けられ、
前記構造用合板の端縁が挿入された状態で、前記溝の最奥面と当該最奥面と対向する前記構造用合板の端縁との間には間隔が空けられ、
前記溝の内面と当該溝に挿入された前記構造用合板の端縁との隙間には、弾性を有した樹脂製の充填材が充填されており、
硬化前の前記充填材を前記溝に充填した後、前記構造用合板の端縁を前記溝に挿入することによって、前記充填材を前記構造用合板の端縁を覆う状態にする
ことを特徴とする建物の壁構造の構築方法。
【請求項２】
前記溝は、
前記開口周縁から内奥方向に設けられ、溝幅が前記開口周縁の幅以下の狭隘部と、
前記狭隘部よりも前記内奥方向に設けられ、溝幅が前記狭隘部の溝幅よりも広い広幅部と、
を備えることを特徴とする請求項１に記載の建物の壁構造の構築方法。
【請求項３】
前記構造用合板は、板厚方向に間隔を空けて複数枚配置され、
前記間柱は、板厚方向の一側に位置する前記構造用合板の表面に、前記構造用合板の縦方向に沿って接合され、
前記反り止めは、板厚方向の他側に位置する前記構造用合板の表面に、前記構造用合板の横方向に沿って接合され、
前記壁パネルは、板厚方向に隣り合う前記構造用合板同士の間に配置されるとともに、一方の前記構造用合板と他方の前記構造用合板のそれぞれに接合された芯材をさらに備える、
ことを特徴とする請求項１又は２に記載の建物の壁構造の構築方法。
【請求項４】
前記構造用合板は、板厚方向に間隔を空けて複数枚配置され、
前記間柱は、板厚方向の一側に位置する前記構造用合板の表面に、当該構造用合板の縦方向に沿って接合され、
前記反り止めは、板厚方向に隣り合う前記構造用合板同士の間に配置されるとともに、一方の前記構造用合板と他方の前記構造用合板のそれぞれに接合された、
ことを特徴とする請求項１又は２に記載の建物の壁構造の構築方法。
【手続補正３】
【補正対象書類名】明細書
【補正対象項目名】０００１
【補正方法】変更
【補正の内容】
【０００１】
本発明は、木製の壁パネルの各端縁を木製の枠部材で支持した建物の壁構造の構築方法に関する。
【手続補正４】
【補正対象書類名】明細書
【補正対象項目名】０００５
【補正方法】変更
【補正の内容】
【０００５】
上記課題を解決するために、本発明に係る建物の壁構造の構築方法は、木製長方形状の壁パネルと、前記壁パネルの各端縁に沿って配置され、前記各端縁のそれぞれに対向する面に、当該端縁が挿入される溝が設けられた木製の枠部材と、を備る建物の壁構造の構築方法であって、前記壁パネルは、長方形の構造用合板と、前記構造用合板の表面に、当該構造用合板の縦方向に沿って接合された間柱と、前記構造用合板における前記間柱が設けられた表面とは別の表面に、当該構造用合板の横方向に沿って接合された反り止めと、を備え、前記溝は、前記構造用合板の端縁が挿入されるものであって、開口周縁の幅よりも内奥部の少なくとも一部の溝幅が広く設けられ、前記構造用合板の端縁が挿入された状態で、前記溝の最奥面と当該最奥面と対向する前記構造用合板の端縁との間には間隔が空けられ、前記溝の内面と当該溝に挿入された前記構造用合板の端縁との隙間には、弾性を有した樹脂製の充填材が充填されており、硬化前の前記充填材を前記溝に充填した後、前記構造用合板の端縁を前記溝に挿入することによって、前記充填材を前記構造用合板の端縁を覆う状態にすることを特徴とする。
なお、本発明における長方形には、四辺の長さが等しい正方形が含まれる。
【手続補正５】
【補正対象書類名】明細書
【補正対象項目名】００３９
【補正方法】変更
【補正の内容】
【００３９】
＜本発明の構成、作用、効果のまとめ＞
第１の本発明に係る木造建物１の壁構造は、木製長方形状の耐震パネル７と、耐震パネル７の各端縁に沿って配置され、各端縁のそれぞれに対向する面に、当該端縁が挿入される溝（溝１２、溝４Ｍ、溝８Ｍ）が設けられた木製の枠部材Ｘ（土台４、柱６、梁８、および軒桁１１）と、を備え、耐震パネル７は、長方形の構造用合板１６と、構造用合板１６の表面に、当該構造用合板１６の縦方向に沿って接合された間柱１７と、構造用合板１６における間柱１７が設けられた表面とは別の表面に、当該構造用合板１６の横方向に沿って接合された反り止め１８と、を備え、溝は、構造用合板１６の端縁１６ａが挿入されるものであって、開口周縁の幅よりも内奥部の少なくとも一部の溝幅が広く設けられ、構造用合板１６の端縁１６ａが挿入された状態で、溝の最奥面と当該最奥面と対向する構造用合板１６の端縁１６ａとの間には間隔が空けられ、溝の内面と当該溝に挿入された構造用合板１６の端縁１６ａとの隙間には、弾性を有した樹脂製の充填材１９が充填されている。当該壁構造の構築方法では、硬化前の充填材１９を溝に充填した後、構造用合板１６の端縁１６ａを溝に挿入することによって、充填材１９を構造用合板１６の端縁１６ａを覆う状態にする。
この木造建物１の壁構造では、構造用合板１６の表面に構造用合板１６の縦方向に沿って間柱１７が接合され、構造用合板１６の別の表面に構造用合板１６の横方向に沿って反り止め１８が接合されているので、外力に対する耐震パネル７の耐性を向上させることができる。
さらに、この木造建物１の壁構造では、構造用合板１６の端縁１６ａが、溝１２の内面に直接接触せずに充填材１９に覆われた状態で溝１２の内部に保持されている。したがって、地震等によって耐震パネル７の表面に沿った方向の外力が耐震パネル７に加わったとしても、構造用合板１６の端縁１６ａを溝１２から外れ難くすることができる。例えば、構造用合板１６の端縁１６ａに対して溝１２から離隔させる方向の外力が加わっても、充填材１９が楔のように作用するので、構造用合板１６の端縁１６ａが溝１２から外れてしまう不都合を抑制できる。また、構造用合板１６の端縁１６ａに対して溝１２の内奥部に向けて押し込む方向の外力が加わっても、充填材１９がクッションとなって耐震パネル７に加わる衝撃を緩和できる。以上より、外力に対する耐震パネル７の耐性を向上させることができる。